(57)【特許請求の範囲】
【請求項１】
天板の後部下側に、下部の両側をテーブル本体に軸着された後面板を設け、この後面板を、ほぼ垂直の閉鎖状態と、後方に傾斜する開放状態との間で回動可能にするとともに、後面板の上部と、これと平行に位置する天板下面の止着部との間に、可撓性シート状部材を弛ませて張り渡し、後面板が前記閉鎖状態にあるときに、可撓性シート状部材を、側面視においてほぼＵ字状に変形させることにより、後面板の上部前面側に樋状の配線収納部を形成させたことを特徴とするテーブル等における配線処理装置。
【請求項２】
後面板を、下端縁より上側をテーブル等の支脚へ軸着し、開放時、下端縁が支脚に当接して、後面板の傾斜角度を制限するようにしたことを特徴とする請求項１に記載のテーブル等における配線処理装置。
【請求項３】
後面板とテーブル本体の対応部に、後面板を閉鎖状態としたときに係合して、閉鎖状態を保持させる係合体と係止体とを設けたことを特徴とする請求項１または２に記載のテーブル等における配線処理装置。
【請求項４】
可撓性シート状部材が、合成樹脂製の網であることを特徴とする請求項１〜３のいずれかに記載のテーブル等における配線処理装置。
【請求項５】
可撓性シート状部材の一端に、天板の裏面に後面板と平行な位置に設けられた係止凹部に係止する係止片を設けたことを特徴とする請求項１〜４のいずれかに記載のテーブル等における配線処理装置。
【請求項６】
可撓性シート状部材は、左右の二片に分割され、それらの一端に取付けた係合片を、天板の裏面に設けた係止凹部に移動可能に支持したことを特徴とする請求項１〜５のいずれかに記載のテーブル等における配線処理装置。
【発明の詳細な説明】
【０００１】
【発明の属する技術分野】
本発明は、テーブル上で使用される各種電気機器のケーブルを、邪魔にならないように体裁よく配線処理するテーブル等における配線処理装置に関する。
【０００２】
【従来の技術】
従来、一方に開閉扉を備える上面開放のケースを製作して、このケースをテーブルの後部下側に設けた電気機器のケーブルを収納する装置は、例えば実公昭５５−３０３２９号、実公昭５６−３３３８３号、特許第２７３９１２０号の各公報に開示されている。
【０００３】
しかし、これらの従来技術は、ケースが浅いため、開口幅は広くできても、高さは低いものとなる。このため、ケーブルを少しずつ押し込まなければならず、収納に手間取って、ケーブルのもつれ合いを起こし易く、又、ケーブルの収納量にも制約があり、且つ、開閉扉を閉めるとケースが密閉室になって、ケーブルの放熱を悪くし、更に、多数のケーブルを収納すると、その中から希望するケーブルを取り出すことが容易でない問題点がある。
【０００４】
【発明が解決しようとする課題】
本発明は、上記した配線処理装置に見られる問題点を解消して、可撓性シート状部材を利用することにより、多数のケーブルも整然と迅速に収納でき、選択的な取り出しも容易で、かつケーブルの放熱も良好なテーブル等における配線処理装置を提供することを目的とする。
【０００５】
【課題を解決するための手段】
本発明によると、上記課題は次のようにして解決される。
（１）天板の後部下側に、下部の両側をテーブル本体に軸着された後面板を設け、この後面板を、ほぼ垂直の閉鎖状態と、後方に傾斜する開放状態との間で回動可能にするとともに、後面板の上部と、これと平行に位置する天板下面の止着部との間に、可撓性シート状部材を弛ませて張り渡し、後面板が前記閉鎖状態にあるときに、可撓性シート状部材を、側面視においてほぼＵ字状に変形させることにより、後面板の上部前面側に樋状の配線収納部を形成させる。
【０００６】
（２）上記(１)項において、後面板を、下端縁より上側をテーブル等の支脚へ軸着し、開放時、下端縁が支脚に当接して、後面板の傾斜角度を制限するようにする。
【０００７】
（３）上記(１)項または(２)項において、後面板とテーブル本体の対応部に、後面板を閉鎖状態としたときに係合して、閉鎖状態を保持させる係合体と係止体とを設ける。
【０００８】
（４）上記(１)項〜(３)項のいずれかにおいて、可撓性シート状部材を、合成樹脂製の網とする。
【０００９】
（５）上記(１)項〜(４)項のいずれかにおいて、可撓性シート状部材の一端に、天板の裏面に後面板と平行な位置に設けられた係止凹部に係止する係止片を設ける。
【００１０】
（６）上記(１)項〜(５)項のいすれかにおいて、可撓性シート状部材は、左右の二片に分割され、それらの一端に取付けた係合片を、天板の裏面に設けた係止凹部に移動可能に支持されている。
【００１１】
【発明の実施の形態】
以下、本発明のテーブル等における配線処理装置を、添附図面を参照しながら説明する。
【００１２】
図１は、本発明のテーブル等における配線処理装置を示す下方斜視図、図２は、後面板(７)をテーブル本体から取りはずした状態の分解下方斜視図である。
この配線処理装置(１)は、裏面の左右両側に取付部(２)(２)によって支脚(３)(３)が取付けられた天板(４)の後部下側に設けられ、ケーブル(５)（図５）を収納するための可撓性シート状部材(６)と、これをケーブルの出し入れ状態と収納状態に変化させる後面板(７)とで構成されている。
【００１３】
後面板(７)は、金属板をもって、図１に示す通り、正面視が矩形状の枠をなすように形成され、その上縁部(７ａ)と下縁部(７ｂ)を、図６(ａ)に示すように、側面視で基面に対して鋭角に曲げて、基面と平行をなす遊端部に折返し(８)を設けてなり、左縁部(７ｃ)と右縁部(７ｄ)を、図６(ｂ)に示すように、平面視で基面に対して直角に曲げて、基面と平行をなす遊端部に折返し(９)を設けた形状としてある。
【００１４】
また後面板(７)は、上縁部(７ａ)と下縁部(７ｂ)との間に、テーブルの支脚(３)に取付けるための取付部材(１０)(１０)を備えている。この取付部材(１０)(１０)は、図１に示すように、金属板により平面視コ字形に形成され、その上下両端を上縁部(７ａ)と下縁部(７ｂ)とに溶接するか、あるいは後面板(７)を、矩形状の枠に、網、穿孔板、その他の遮蔽体(１１)を取付けて形成したときは、取付部材(１０)の左右両側に止着片(１０ａ)を設け、前記遮蔽体(１１)へ取付ける。
【００１５】
一方、テーブルの支脚(３)(３)には、後面板(７)の支承部材(１２)(１２)を取付ける。この支承部材(１２)(１２)は、図２、図３に示すように、後面板(７)と直交する基板(１２ａ)の一端を間座(１３)を挟んで、支脚(３)へねじ(１４)により締着し、他端には、平面視クランク型の屈曲部(１２ｂ)を設けて、その基板(１２ａ)と平行する片の下端に軸受(１５)を設け、この軸受(１５)と、後面板(７)に取付けた取付部材(１０)とに穿設された孔(１６)に軸(１７)を挿通して、後面板(７)を支脚(３)へ回動可能に取付ける。
【００１６】
支脚(３)へ回動可能に軸着された後面板(７)は、ほぼ直立した閉鎖状態と、後方へ斜めに倒れた開放状態とで停止させる必要がある。そのため、後面板(７)の取付部材(１０)に穿設した孔(１７)を、図５に示すように、下縁部(７ｂ)よりも上方へ離間させ、後面板(７)の下縁部(７ｂ)に弾性材の当座(１８)を取付けておくと、後面板(７)を同図に鎖線で示す開放状態としたとき、当座(１８)が、支脚(３)に当るときのクッションとして機能し、また後面板(７)の開放時の傾斜を所定の角度に保つことができる。
【００１７】
後面板(７)を閉鎖状態で停止させるには、図４に示すように、後面板(７)の取付部材(１０)の上側に設けた孔(１９)に係合体(２０)を取付け、これに対応させて、支脚(３)に取付けた支承部材(１２)の平角視がクランク形の屈曲部(１２ｂ)の遊動端に設けた孔(２１)に、係止体(２２)を取付けておいて、後面板(７)をほぼ直立する閉鎖状態にすると、係合体(２０)の突起(２０ａ)が係止体(２２)凹部(２２ａ)に嵌入して、閉鎖状態に保持される。一方、後面板(７)を引っ張ると、係合体(２０)は、係止体(２２)から外れ、後面板(７)を簡単に開放することができる。
【００１８】
可撓性シート状部材(６)は、合成樹脂製の網からなり、後面板(７)の上縁部(７ｂ)と天板(２)の裏面とに、弛ませて張り渡す。すなわち、可撓性シート状部材の一端に、図７(ａ)に示すように、側面視おたまじゃくし形をなす係止片(２３)を設け、他端には、図７(ｂ)に示すように、側面視Ｔ字状をなして中央部にねじ溝(２４)を左右方向に連続して設けた係合片(２５)を設ける。
【００１９】
上記の係止片(２３)は、図２に示すように、天板(４)の下面へ後面板(７)の上縁部(７ｂ)と平行をなすように形成した溝状の止着部(２６)に、図７(ａ)に示すような遊動端に逆止爪(２７)を設けた係止凹部(２８)を取付け、この係止凹部(２８)に係止させる。
一方、他端に設けた上記係合片(２５)は、図７(ｂ)に示すように、後面板(７)の上縁部(７ｂ)の下面に添えて、ねじ溝(２４)にねじ(２９)で締着する。このようにして、天板(４)の下面と後面板(７)の上縁部(７ｂ)との間に、可撓性シート状部材(６)を弛ませて張り渡す。
【００２０】
可撓性シート状部材(６)は、図１に示すように、左右２枚に分割形成され、その一端に設けられた係止片(２３)を、天板(２)の下面に設けられた係止凹部(２８)に左右の方向へ移動可能に係止させておき、必要に応じて、一方または両方の可撓性シート状部材(６)の係止片(２３)を、左右の可撓性シート状部材(６)が離間するように移動させ、両者間に隙間をあけて、この隙間から、ケーブル(５)を出し入れして、床上に設置されるコンセント等との接続を行うようにすることもできる。
【００２１】
【発明の効果】
本発明によると、次のような効果を奏することができる。
（１）請求項１に記載の発明によれば、後面板を解放状態にして可撓性シート状部材を広げて、この上にケーブルを載せ、次いで、後面板を閉鎖状態とすることによって、シート状部材をＵ字形に弛ませてケーブルを素早く収納することができる。また、上部開放であるため多くのケーブルをもつれをも起こすことなく、収納することができるとともに多数のケーブルの中から希望するケーブルを選択して取出すことも容易にできる。更に、シート状部材は、左右両端が開口しており、ケーブルから発生する熱の放散も良好に行われる。
【００２２】
（２）請求項２に記載の発明によれば、後面板の開放時の傾斜を所定の角度に保つことができる。
【００２３】
（３）請求項３に記載の発明によれば、後面板を常時は閉鎖状態に保持して、必要に応じて開放することができる。
【００２４】
（４）請求項４に記載の発明によれば、後面板を閉鎖状態にする際に、可撓性シート状部材が、容易に側面視Ｕ字状に変形して、良好なケーブル収納部が形成されるとともに、ケーブルの保持に充分な強度を有し、さらにケーブルから発生する熱を放散させるうえでも有利である。
【００２５】
（５）請求項５に記載の発明によれば、可撓性シート状部材の一端を、天板の下面へ後面板と平行となるような位置に、簡単に確実に止着できる。
【００２６】
（６）請求項６に記載の発明によれば、二分割された可撓性シート状部材の間に隙間を形成して、この隙間からのケーブルの引き込み、あるいは引き出しを行って、床上コンセント等の接続を便利に行うことができる。
【図面の簡単な説明】
【図１】本発明のテーブル等における配線処理装置を、下側から見た斜視図である。
【図２】配線処理装置を下側から見た分解斜視図である。
【図３】後面板を支承する部材を下側から見た拡大斜視図である。
【図４】後面板と可撓性シート状部材を下側から見た拡大斜視図である。
【図５】後面板と可撓性シート状部材の作動状態を示す側面図である。
【図６】  (ａ)(ｂ)は、後面板の上縁部と下縁部及び左縁部と右縁部の側面視の断面形状を示す拡大図である。
【図７】  (ａ)(ｂ)は、可撓性シート状部材の一端と他端に設けた係合片および係止片の止着状態を示す側面視の拡大断面図である。
【符号の説明】
(１)配線処理装置
(２)取付部
(３)支脚
(４)天板
(５)ケーブル
(６)可撓性シート状部材
(７)後面板
(８)(９)折返し
(１０)取付部材
(１１)遮蔽体
(１２)支承部材
(１３)当金
(１４)ねじ
(１５)軸受
(１６)孔
(１７)軸
(１８)当座
(１９)孔
(２０)係合体
(２１)係合片
(２２)係止体
(２３)係止片
(２４)ねじ溝
(２５)係合片
(２６)止着部
(２７)逆上爪
(２８)係止凹部
(２９)ねじ
【図１】
0004341788.tif 000002
【図２】
0004341788.tif 000003
【図３】
0004341788.tif 000004
【図４】
0004341788.tif 000005
【図５】
0004341788.tif 000006
【図６】
0004341788.tif 000007
【図７】
0004341788.tif 000008